(57)【要約】      （修正有）【課題】入室管理システム等のセキュリティを必要とするシステムを、外部から簡易な手続きで迅速に遠隔操作可能な遠隔操作システムを提供する。【解決手段】ユーザの携帯電話番号を記憶する電話番号データベースと、携帯電話機から送信されるテキストメッセージを受信する手段と、テキストメッセージの送信元の携帯電話番号が電話番号データベースに含まれる場合に、入室管理システム等を遠隔操作するための所定のアクションを実行する手段と、を備える。【選択図】図１
2012209664.tif 000002
【特許請求の範囲】
【請求項１】
携帯電話機から移動体通信網を介して送信されるテキストメッセージの内容に応じてシステムを操作する遠隔操作システムであって、
ユーザの所持する携帯電話機の電話番号を記憶する電話番号データベースと、
携帯電話機から送信されるテキストメッセージを受信する手段と、
前記テキストメッセージの送信元アドレスに含まれる前記携帯電話機の電話番号を取り出す手段と、
前記電話番号データベースにおいて、前記取り出した電話番号を検索する手段と、
前記取り出した電話番号が前記電話番号データベースに含まれる場合に、前記システムに対し所定のアクションを実行する手段と、
を備える遠隔操作システム。
【請求項２】
ユーザから送信されるコマンドと、それに対応するアクションとを記憶するコマンドデータベースを更に備え、
前記取り出した電話番号が前記電話番号データベースに含まれる場合に、
前記受信したテキストメッセージの本文に含まれるコマンドを取り出す手段と、
前記コマンドデータベースにおいて前記取り出したコマンドを検索する手段と、
前記コマンドデータベースにおいて前記取り出したコマンドと対応して記憶されているアクションを実行する手段と、
を備える、請求項１に記載の遠隔操作システム。
【請求項３】
前記電話番号データベースが、更に、ユーザの所持する携帯電話機の電話番号と対応付けられた、個々の携帯電話機を保有するユーザの識別情報を有し、
前記電話番号データベースにおいて、前記取り出した電話番号を検索する手段が、前記電話番号と対応付けられて記録されたユーザ識別情報を読み出す手段を更に備える、請求項１又は２に記載の遠隔操作システム。
【請求項４】
前記システムが、管理エリアへの入室を管理する入室管理システムである、請求項１〜３のいずれかに記載の遠隔操作システム。
【請求項５】
前記アクションが、
前記読み出されたユーザ識別情報により特定されるユーザのパスワードを発行するステップと、
前記パスワードを二次元バーコードに変換するステップと、
前記二次元バーコードを該ユーザの携帯電話機に送信するステップと、
を含み、
前記入室管理システムが、管理エリアの入り口付近に設置されるバーコード読取装置を含み、
前記ユーザの携帯電話機の表示部に表示された前記二次元バーコードを、前記バーコード読取装置に読み取らせることによりユーザ認証を行う、請求項４に記載の遠隔操作システム。
【請求項６】
前記入室管理システムが、管理エリアへの入室を管理される各ユーザに配布されるカードを、管理エリアの入り口に設置されるカードリーダに読み取らせることによりユーザの認証を行うシステムであり、
前記遠隔操作システムが実行するアクションが、
前記読み出されたユーザ識別情報により特定されるユーザのカードを無効化する指令を前記入室管理システムに送信するステップ
を含む、請求項４に記載の遠隔操作システム。
【請求項７】
前記入室管理システムが、管理エリアへの入室を管理される各ユーザに配布されるカードを、管理エリアの入り口に設置されるカードリーダに読み取らせることによりユーザの認証を行うシステムであり、
前記遠隔操作システムが実行するアクションが、
前記読み出されたユーザ識別情報により特定されるユーザのカードを有効化する指令を前記入室管理システムに送信するステップと、
所定時間の経過後に、該ユーザのカードを無効化する指令を前記入室管理システムに送信するステップと、
を含む、請求項４又は６に記載の遠隔操作システム。
【請求項８】
携帯電話機から移動体通信網を介して送信されるテキストメッセージの内容に応じてシステムを操作する遠隔操作方法であって、
ユーザの所持する携帯電話機の電話番号を記憶する電話番号データベースを設けるステップと、
携帯電話機から送信されるテキストメッセージを受信するステップと、
前記テキストメッセージの送信元アドレスに含まれる前記携帯電話機の電話番号を取り出すステップと、
前記電話番号データベースにおいて、前記取り出した電話番号を検索するステップと、
前記取り出した電話番号が前記電話番号データベースに含まれる場合に、前記システムに対し所定のアクションを実行するステップと、
を含む遠隔操作方法。
【請求項９】
ユーザから送信されるコマンドと、それに対応するアクションとを記憶するコマンドデータベースを設けるステップを更に備え、
前記取り出した電話番号が前記電話番号データベースに含まれる場合に、
前記受信したテキストメッセージの本文に含まれるコマンドを取り出すステップと、
前記コマンドデータベースにおいて前記取り出したコマンドを検索するステップと、
前記コマンドデータベースにおいて前記取り出したコマンドと対応して記憶されているアクションを実行するステップと、
を含む、請求項８に記載の遠隔操作方法。
【請求項１０】
前記電話番号データベースが、更に、ユーザの所持する携帯電話機の電話番号と対応付けられた、個々の携帯電話機を保有するユーザの識別情報を有し、
前記電話番号データベースにおいて、前記取り出した電話番号を検索するステップが、前記電話番号と対応付けられて記録されたユーザ識別情報を読み出すステップを含む、請求項８又は９に記載の遠隔操作方法。
【請求項１１】
前記システムが、管理エリアへの入室を管理する入室管理システムである、請求項８〜１０のいずれかに記載の遠隔操作方法。
【請求項１２】
前記アクションを実行するステップが、
前記読み出されたユーザ識別情報により特定されるユーザのパスワードを発行するステップと、
前記パスワードを二次元バーコードに変換するステップと、
前記二次元バーコードを該ユーザの携帯電話機に送信するステップと、
を含み、
前記入室管理システムが、管理エリアの入り口付近に設置されるバーコード読取装置を含み、
前記ユーザの携帯電話機の表示部に表示された前記二次元バーコードを、前記バーコード読取装置に読み取らせることによりユーザ認証を行う、請求項１１に記載の遠隔操作方法。
【請求項１３】
前記入室管理システムが、管理エリアへの入室を管理される各ユーザに配布されるカードを、管理エリアの入り口に設置されるカードリーダに読み取らせることによりユーザの認証を行うシステムであり、
前記アクションを実行するステップが、
前記読み出されたユーザ識別情報により特定されるユーザのカードを無効化する指令を前記入室管理システムに送信するステップ
を含む、請求項１１に記載の遠隔操作方法。
【請求項１４】
前記入室管理システムが、管理エリアへの入室を管理される各ユーザに配布されるカードを、管理エリアの入り口に設置されるカードリーダに読み取らせることによりユーザの認証を行うシステムであり、
前記アクションを実行するステップが、
前記読み出されたユーザ識別情報により特定されるユーザのカードを有効化する指令を前記入室管理システムに送信するステップと、
所定時間の経過後に、該ユーザのカードを無効化する指令を前記入室管理システムに送信するステップと、
を含む、請求項１１又は１３に記載の遠隔操作方法。
【発明の詳細な説明】
【技術分野】
【０００１】
本発明は、移動体通信網を介したテキストメッセージを送信することにより、遠隔地にあるシステムを操作（制御、情報取得、情報配信）する方法に関するものであり、より詳細には、ユーザが所持する携帯電話機からショートメッセージ等のテキストメッセージを送信することにより、セキュリティを要するシステムを遠隔から操作するシステム及び方法に関する。
【背景技術】
【０００２】
従来、セキュリティの求められるシステムを操作するためには、該システムが存在するマシン室に行って直接システムを操作するか、あるいは、インターネット等のネットワークを介して該システムにアクセスし、該システムにログインして処理を実行することが行われている。
【０００３】
例えば、管理エリアへのユーザの入室を管理するいわゆる入室管理システムの分野では、特許文献１に記載のように、インターネット接続機能を有する携帯電話機、又は携帯可能な入室リモートアクセス用の端末を用い、公衆電話網や携帯電話網等の広域ネットワークを通してアクセス管理サーバに接続し、当該アクセス管理サーバにおいて認証情報を入力し、認証成功の場合に、錠を管理するアクセス管理装置に解錠命令を出すシステムが利用されている。
【０００４】
また、入室管理システムの中には、管理エリアへの入室を許可されたユーザにＩＣカード等を配布し、ユーザがカードを当該エリアの入口扉付近に設けられたカードリーダにかざす等して認証情報を読み込ませ、認証に成功した場合に入口扉の電子錠を開錠するものもあるが、このようなシステムにおいて、各カードを所定時間のみ有効化したり、又は、紛失したカードを無効化したりする場合には、やはり、該システムが存在するマシン室へ行くか、作業者がインターネット等のネットワークを介して入室システムにアクセスし、ログインした上で処理を行っている。
【先行技術文献】
【特許文献】
【０００５】
【特許文献１】特開２００２−１２９７９２号公報
【発明の概要】
【発明が解決しようとする課題】
【０００６】
しかしながら、そのような遠隔操作の方法には、いくつかの問題がある。
まず、遠隔操作されるシステムをインターネット等のネットワークに接続する必要があり、セキュリティが低下する懸念がある。更に、遠隔操作時のセキュリティを確保するために、ユーザ認証や、バーチャル・プライベート・ネットワーク等の仕組みを設ける必要があり、そのためのコストや労力がかかるという問題がある。また、更に、実際の作業時にも、ユーザ認証によるログイン等の複雑な手続きが必要となり、操作に時間がかかる。更に、ユーザ認証のパスワードを失念することによりログインできない場合もある。
【０００７】
本発明は、上記の課題に鑑みてなされたものであり、入室管理システム等のセキュリティを必要とするシステムを、外部から簡易な手続きで迅速に遠隔操作（制御、情報取得、情報配信）することを可能とするシステム及び方法を提供する。
【課題を解決するための手段】
【０００８】
上記の課題を解決するため、本発明の１つの実施の形態に係る遠隔操作システムは、携帯電話機から移動体通信網を介して送信されるテキストメッセージの内容に応じてシステムを操作する遠隔操作システムであって、ユーザの所持する携帯電話機の電話番号を記憶する電話番号データベースと、携帯電話機から送信されるテキストメッセージを受信する手段と、テキストメッセージの送信元アドレスに含まれる携帯電話機の電話番号を取り出す手段と、電話番号データベースにおいて、取り出した電話番号を検索する手段と、取り出した電話番号が電話番号データベースに含まれる場合に、システムに対し所定のアクションを実行する手段と、を備える。
【０００９】
また、このような遠隔操作システムは、ユーザから送信されるコマンドと、それに対応するアクションとを記憶するコマンドデータベースを更に備え、取り出した電話番号が電話番号データベースに含まれる場合に、受信したテキストメッセージの本文に含まれるコマンドを取り出す手段と、コマンドデータベースにおいて取り出したコマンドを検索する手段と、コマンドデータベースにおいて取り出したコマンドと対応して記憶されているアクションを実行する手段と、を備えてもよい。
【００１０】
また、このような遠隔操作システムにおいて、電話番号データベースが、更に、ユーザの所持する携帯電話機の電話番号と対応付けられた、個々の携帯電話機を保有するユーザの識別情報を有し、電話番号データベースにおいて、取り出した電話番号を検索する手段が、電話番号と対応付けられて記録されたユーザ識別情報を読み出す手段を更に備えてもよい。
【００１１】
また、このような遠隔操作システムにおいて、遠隔操作されるシステムは、管理エリアへの入室を管理する入室管理システムであってもよい。
また、このような遠隔操作システムにおいて、実行されるアクションは、読み出されたユーザ識別情報により特定されるユーザのパスワードを発行するステップと、パスワードを二次元バーコードに変換するステップと、二次元バーコードを該ユーザの携帯電話機に送信するステップと、を含み、入室管理システムが、管理エリアの入り口付近に設置されるバーコード読取装置を含み、ユーザの携帯電話機の表示部に表示された二次元バーコードを、バーコード読取装置に読み取らせることによりユーザ認証を行うものであってもよい。
【００１２】
また、このような遠隔操作システムにおいて、入室管理システムが、管理エリアへの入室を管理される各ユーザに配布されるカードを、管理エリアの入り口に設置されるカードリーダに読み取らせることによりユーザの認証を行うシステムであり、遠隔操作システムが実行するアクションが、読み出されたユーザ識別情報により特定されるユーザのカードを無効化する指令を入室管理システムに送信するステップを含んでもよい。
【００１３】
また、このような遠隔操作システムにおいて、入室管理システムが、管理エリアへの入室を管理される各ユーザに配布されるカードを、管理エリアの入り口に設置されるカードリーダに読み取らせることによりユーザの認証を行うシステムであり、遠隔操作システムが実行するアクションが、読み出されたユーザ識別情報により特定されるユーザのカードを有効化する指令を入室管理システムに送信するステップと、所定時間の経過後に、該ユーザのカードを無効化する指令を入室管理システムに送信するステップと、を含んでもよい。
【００１４】
また、本願のもう一つの実施の形態に係る遠隔操作方法は、携帯電話機から移動体通信網を介して送信されるテキストメッセージの内容に応じてシステムを操作する遠隔操作方法であって、ユーザの所持する携帯電話機の電話番号を記憶する電話番号データベースを設けるステップと、携帯電話機から送信されるテキストメッセージを受信するステップと、テキストメッセージの送信元アドレスに含まれる携帯電話機の電話番号を取り出すステップと、電話番号データベースにおいて、取り出した電話番号を検索するステップと、取り出した電話番号が電話番号データベースに含まれる場合に、システムに対し所定のアクションを実行するステップと、を含む。
【００１５】
また、このような遠隔操作方法は、ユーザから送信されるコマンドと、それに対応するアクションとを記憶するコマンドデータベースを設けるステップを更に備え、取り出した電話番号が電話番号データベースに含まれる場合に、受信したテキストメッセージの本文に含まれるコマンドを取り出すステップと、コマンドデータベースにおいて取り出したコマンドを検索するステップと、コマンドデータベースにおいて取り出したコマンドと対応して記憶されているアクションを実行するステップと、を含んでもよい。
【００１６】
また、このような遠隔操作方法において、電話番号データベースが、更に、ユーザの所持する携帯電話機の電話番号と対応付けられた、個々の携帯電話機を保有するユーザの識別情報を有し、電話番号データベースにおいて、取り出した電話番号を検索するステップが、電話番号と対応付けられて記録されたユーザ識別情報を読み出すステップを含んでもよい。
【００１７】
また、このような遠隔操作方法において、遠隔操作されるシステムは、管理エリアへの入室を管理する入室管理システムであってもよい。
また、このような遠隔操作方法において、アクションを実行するステップが、読み出されたユーザ識別情報により特定されるユーザのパスワードを発行するステップと、パスワードを二次元バーコードに変換するステップと、二次元バーコードを該ユーザの携帯電話機に送信するステップと、を含み、入室管理システムが、管理エリアの入り口付近に設置されるバーコード読取装置を含み、ユーザの携帯電話機の表示部に表示された二次元バーコードを、バーコード読取装置に読み取らせることによりユーザ認証を行うものであってもよい。
【００１８】
また、このような遠隔操作方法において、入室管理システムが、管理エリアへの入室を管理される各ユーザに配布されるカードを、管理エリアの入り口に設置されるカードリーダに読み取らせることによりユーザの認証を行うシステムであり、アクションを実行するステップが、読み出されたユーザ識別情報により特定されるユーザのカードを無効化する指令を入室管理システムに送信するステップを含んでもよい。
【００１９】
また、このような遠隔操作方法において、入室管理システムが、管理エリアへの入室を管理される各ユーザに配布されるカードを、管理エリアの入り口に設置されるカードリーダに読み取らせることによりユーザの認証を行うシステムであり、アクションを実行するステップが、読み出されたユーザ識別情報により特定されるユーザのカードを有効化する指令を入室管理システムに送信するステップと、所定時間の経過後に、該ユーザのカードを無効化する指令を入室管理システムに送信するステップと、を含んでもよい。
【発明の効果】
【００２０】
本発明によれば、インターネット網を介さず、また遠隔操作のための新たな機器を用意することなく、ユーザが所持している携帯電話機を活用して、入室管理システム等のセキュリティを必要とするシステムを、外部から簡易な手続きで安全かつ迅速に遠隔操作（制御、情報取得、情報配信）することが可能である。
【図面の簡単な説明】
【００２１】
【図１】図１は、本発明の実施の形態に係る遠隔操作システムの構成を概略的に示す。
【図２】図２は、本発明の実施の形態に係る遠隔操作サーバ及び入室管理サーバを構成するコンピュータの物理的構成を示す。
【図３】図３は、本発明の実施の形態に係る遠隔操作サーバの機能的な構成を示す。
【図４】図４は、本発明の実施の形態に係る遠隔操作サーバと移動体通信網との接続形態の例を示す。
【図５】図５は、本発明の実施の形態に係る遠隔操作サーバに格納されるユーザＤＢに含まれるデータの一例を示す。
【図６】図６は、本発明の実施の形態に係る遠隔操作サーバに格納されるコマンドＤＢに含まれるデータの一例を示す。
【図７】図７は、本発明の実施の形態に係る入室管理サーバの機能的な構成を示す。
【図８】図８は、本発明の実施の形態に係る入室管理サーバに格納されるユーザＤＢに含まれるデータの一例を示す。
【図９】図９は、本発明の実施の形態に係る遠隔操作システムの動作フローを示す。
【図１０】図１０は、本発明のもう一つの実施の形態に係る遠隔操作システムの構成を概略的に示す。
【図１１】図１１は、本発明のもう一つの実施の形態に係る遠隔操作サーバの機能的な構成を示す。
【図１２】図１２は、本発明のもう一つの実施の形態に係る入室管理サーバの機能的な構成を示す。
【図１３】図１３は、本発明のもう一つの実施の形態に係る入室管理サーバに格納されるパスワードＤＢに含まれるデータの一例を示す。
【図１４】図１４は、本発明のもう一つの実施の形態に係る遠隔操作システムの動作フローを示す。
【発明を実施するための形態】
【００２２】
以下、本願発明の幾つかの例としての実施の形態を、図面を参照しながら詳細に説明する。なお、本発明は以下に説明する実施の形態に限定されるものではなく、本発明の要旨を変更しない範囲内で、様々な変形が考えられる。また、図面において、同じ要素には同一の符号を付すものとする。
第一の実施の形態
図１は、本発明の第一の実施の形態に係る遠隔操作システムの構成を概略的に示す。図１において、遠隔操作システム１０は、携帯電話機１１−１〜１１−Ｎ（Ｎは任意の自然数）に無線接続する基地局１２と、遠隔操作サーバ１４とを移動体通信網１３を介して相互に接続し、更に、該遠隔操作サーバ１４と、管理エリアへの入室を管理する入室管理サーバ１６とをネットワーク１５を介して接続することにより構成されている。なお、入室管理サーバ１６は、各管理エリアの入り口扉の電子錠１８−１〜１８−Ｍ（Ｍは任意の自然数）及び入り口扉付近に設置されたカードリーダ２０−１〜２０−Ｍに接続された施錠管理ユニット１９と、ネットワーク１７を介して相互に接続されている。
【００２３】
図１において、携帯電話機１１−１〜１１−Ｎは、入室管理サーバ１６おいて入室を管理されるユーザが所持する電話機であり、それぞれ、通信部、記憶部、操作部、表示部、音声出力部、音声入力部、制御部等を含む。携帯電話機１１−１〜１１−Ｎは、これらの各部の協働により、移動体通信網１３を介して、電話を発信及び着信したり、メッセージを送受信したり、送受信するメッセージを表示したり、インターネットに接続したりすることが可能である。例えば、本発明の実施の形態では、携帯電話機１１−１〜１１−Ｎは、ＳＭＳ（ショートメッセージ・サービス）等のサービスを利用して、移動体通信網を介して携帯電話機の電話番号宛てに送受信されるテキストメッセージを送受信することができる。なお、携帯電話機１１−１〜１１−Ｎは、ＰＤＣ、ＧＳＭ、ＣＤＭＡ等の方式による携帯電話機の他に、ＰＨＳ電話機を含んでもよく、上記のテキストメッセージには、ＰＨＳ電話機間でやり取りされるテキストメッセージを含んでもよい。
【００２４】
基地局１２は、携帯電話サービス会社の有する基地局であり、移動体通信網１３に接続され、移動体通信網１３から受信したデータを、無線ネットワークを介して携帯電話機１１−１〜１１−Ｎに送信し、携帯電話機１１−１〜１１−Ｎから無線ネットワークを介して受信したデータを移動体通信網１３に送信する。
【００２５】
移動体通信網１３は、携帯電話の基地局間を接続する、第三者から閲覧されることのない閉域ネットワークであり、携帯電話機１１−１〜１１−Ｎ相互間、及び携帯電話機１１−１〜１１−Nと遠隔操作サーバ１４と間の通話及び通信を中継する。
【００２６】
ネットワーク１５及び１７は、公衆電話網、閉域ＩＰ通信網、インターネット網、ケーブル網、専用回線網、ＷＡＮ又はＬＡＮなどを含む任意のネットワークである。
遠隔操作サーバ１４は、携帯電話機１１−１〜１１−Ｎからの移動体通信網１３を介し電話番号宛てに送受信されるテキストメッセージを受け取り、メッセージの内容に応じて、入室管理サーバ１６に指令を送信することができる一台又は複数のサーバである。
【００２７】
入室管理サーバ１６は、管理エリアへのユーザの入室を管理する入室管理システムにおいて、施錠管理ユニット１９を制御して、ユーザの認証、及びその結果に応じた電子錠１８−１〜１８−Ｍの開閉を行う、一台又は複数のサーバである。入室管理サーバ１６は、管理エリアへの出入りを許可されたユーザの情報、管理エリアに設けられた施錠管理ユニット１９の情報等を保持している。
【００２８】
施錠管理ユニット１９は、管理エリアの入り口扉の電子錠１８−１〜１８−Ｍと、入り口扉付近に設けられたカードリーダ２０−１〜２０−Ｍと、それぞれ接続可能に設けられる。施錠管理ユニット１９は、ネットワーク１７経由で入室管理サーバ１６から送信される制御信号と、カードリーダ２０−１〜２０−Ｍから送信される認証情報とに基づいてユーザ認証を行い、認証結果に応じて電子錠１８−１〜１８−Ｍを解錠するユニットである。なお、図１において、遠隔操作システム１０は一つの施錠管理ユニット１９を有するよう描かれているが、本発明に係る遠隔操作システムは、上記の機能を有する複数の施錠管理ユニットを備えてもよい。
【００２９】
カードリーダ２０−１〜２０−Ｍは、管理エリアの入り口扉付近に設けられ、管理エリアへの入室を求めるユーザが提示するカードに含まれる認証情報を読み取り、施錠管理ユニット１９と情報を送受信する装置である。
【００３０】
遠隔操作サーバ１４及び入室管理サーバ１６は、それぞれ、一台のコンピュータで構成されても、互いに接続された複数台のコンピュータで構成されてもよい。また、図１では、遠隔操作サーバ１４と、入室管理サーバ１６とが、それぞれ独立したサーバとして、ネットワーク１５を介して互いに接続されているが、遠隔操作サーバ１４と、入室管理サーバ１６との両方の機能を、一台のサーバで実現するよう構成してもよい。
【００３１】
図２は、本発明の第一の実施の形態に係る遠隔操作サーバ１４及び入室管理サーバ１６を構成するコンピュータの物理的構成を示すものである。遠隔操作サーバ１４及び入室管理サーバ１６を構成するコンピュータは、それぞれ、ＣＰＵ２００、２０５と、記憶装置２１０、２１５と、入力装置２２０、２２５と、表示装置２３０、２３５と、通信装置２４０、２４５とを備える。記憶装置２１０、２１５には、サーバに内蔵された記憶装置を用いてもよいが、その他の外部の記憶装置を利用してもよい。遠隔操作サーバ１４及び入室管理サーバ１６は、また、後述する処理を実行させるソフトウェアを汎用コンピュータ上で動作させるものでもよく、専用のハードウェアであってもよい。また、通信装置２４０は、有線ＬＡＮや無線ＬＡＮのインターフェースを有する一枚又はそれ以上の、組み込み型の又は外付けのネットワーク通信カードにより実現される。本発明のこの実施の形態においては、特に、通信装置２４０として、後述のような携帯電話機能を有する通信カードを使用してもよい。
【００３２】
図３は、本発明の第一の実施の形態に係る遠隔操作サーバ１４の機能的な構成を示す図である。遠隔操作サーバ１４は、ユーザが所持する携帯電話機１１−１〜１１−Ｎからの移動体通信網を介し電話番号宛てに送受信されるテキストメッセージを受信し、それらのテキストメッセージに応じて所定のアクションを実行するサーバであり、情報の送受信を行う送受信部３１０と、遠隔操作サーバ１４における通信及び処理を制御する制御部３２０と、ユーザＤＢ３３０（本明細書においては、データベースを「ＤＢ」と表記する）と、コマンドＤＢ３４０と、を備える。
【００３３】
送受信部３１０は、一枚又は複数枚のネットワーク・カード等を備え、移動体通信網１３及びネットワーク１５を介して、携帯電話機１１−１〜１１−Ｎ及び入室管理サーバ１６との通信を行う。特に、本発明の実施の形態における遠隔操作サーバ１４は、携帯電話機１１−１〜１１−Ｎとの間で移動体通信網１３を介し電話番号宛てに送受信されるテキストメッセージを送受信する機能を備える。当該機能は、例えば、送受信部３１０の備えるネットワーク・カードのうち少なくとも一枚が固有の電話番号を備え、移動体通信網１３を介して携帯電話機１１−１〜１１−Ｎとの間でテキストメッセージを送受信することにより実現されてもよく、または、図４に示すように、遠隔操作サーバ１４に携帯電話機４１−１〜４１−Ｌ（Ｌは任意の自然数）を接続し、遠隔操作サーバ１４が携帯電話機４１−１〜４１−Ｌを介して、テキストメッセージを送受信することにより実現されてもよい。この実施の形態において、携帯電話機４１−１〜４１−Ｌは、ＵＳＢ接続等の有線接続、無線ＬＡＮ、あるいはＢｌｕｅｔｏｏｔｈ等を介して遠隔操作サーバ４１に接続される。ユーザの携帯電話機１１−１〜１１−Ｎは、遠隔操作サーバ１４にテキストメッセージを送信する際、携帯電話機４１−１〜４１−Ｌの電話番号を宛先アドレスに指定したテキストメッセージを送信し、携帯電話機４１−１〜４１−Ｌが、受信した該テキストメッセージを、遠隔操作サーバ１４に転送する。また、遠隔操作サーバ１４が携帯電話機１１−１〜１１−Ｎにテキストメッセージを送信する場合、遠隔操作サーバ１４が携帯電話機１１−１〜１１−Ｎ宛てに作成したテキストメッセージを、まず、携帯電話機４１−１〜４１−Ｌに転送し、携帯電話機４１−１〜４１−Ｌから、移動体通信網１３を介して、携帯電話機１１−１〜１１−Ｎに送信する。
【００３４】
図３に戻って、ユーザＤＢ３３０は、一台又はそれ以上のサーバから構成される遠隔操作サーバ１４の記憶装置２１０に蓄積され、入室管理サーバ１６の遠隔操作を行うユーザの情報を含むデータベースである。コマンドＤＢ３４０は、一台又はそれ以上のサーバから構成される遠隔操作サーバ１４の記憶装置２１０に蓄積され、入室管理サーバ１６を操作するための予め登録されたコマンドの情報を含むデータベースである。
【００３５】
図５は、ユーザＤＢ３３０に含まれるデータの一例を示す。ユーザＤＢ３３０は、ユーザＩＤ５１０と、各ユーザの電話番号５１１と、を含む。ユーザＩＤ５１０は、遠隔操作システム１０を利用するユーザを識別するためのＩＤであり、電話番号５１１は、各ユーザの有する携帯電話機１１−１〜１１−Ｎの電話番号であって、ユーザごとに一意の番号である。
【００３６】
図６は、コマンドＤＢ３４０に含まれるデータの一例を示す。コマンドＤＢ３４０は、コマンドＩＤ６１０と、各コマンドＩＤに対応して遠隔操作サーバ１４が実行するアクション６１１と、を含む。コマンドＩＤ６１０は、ユーザが携帯電話機１１−１〜１１−Ｎからテキストメッセージの本文として送信する予め登録された、命令内容に対する一意のＩＤであり、アクション６１１は、それぞれのコマンドＩＤ６１０を受信した場合に、遠隔操作サーバ１４が実行する、予め登録されたアクションである。
【００３７】
この実施の形態において、例えば、ユーザの所持する携帯電話機１１−１〜１１−Ｎからのテキストメッセージを送信することにより、入室管理サーバ１６において、該ユーザのカードを無効化したい場合、予め、遠隔操作サーバ１４のコマンドＤＢ３４０に、ユーザのカードを無効化するコマンドＩＤ「００１」と、該コマンドＩＤが送信された場合に実行されるべき「入室管理サーバ１６に、該メッセージを送信したユーザのカードを無効化する指令を発信する」というアクションと、を登録しておくことができる。また、ユーザの所持する携帯電話機１１−１〜１１−Ｎからのテキストメッセージを送信することにより、入室管理サーバ１６において、該ユーザのカードを所定の期間に渡り有効にしたい場合、予め、遠隔操作サーバ１４のコマンドＤＢ３４０に、ユーザのカードを所定の期間に渡り有効にするコマンドＩＤ「００２」と、該コマンドが送信された場合に実行されるべき「入室管理サーバ１６に対し、該メッセージを送信したユーザを有効にする指令を発信し、所定期間の経過後に、入室管理サーバ１６に対し該ユーザを無効化するよう指令を送信する」というアクションと、を予め登録しておくことが可能である。
【００３８】
なお、この実施の形態では、ユーザが送信するテキストメッセージの本文に直接、遠隔操作サーバ１４にて実行可能なコマンドを記載するのではなく、コマンドＤＢ３４０を用意して、ユーザが送信するコマンドＩＤと、遠隔操作サーバ１４が実行するべきアクションとを対応づけることにより、ユーザが、携帯電話機で入力しやすい、例えば「００１」「００２」等のコマンドＩＤを用いて遠隔操作サーバ１４を操作できるようにしている。しかし、本発明の他の実施の形態では、ユーザが送信するメッセージの本文に直接遠隔操作サーバ１４に実行させるコマンドを記載してもよい点に注意すべきである。また、上記のコマンドＩＤを含むテキストメッセージをユーザの携帯電話機あるいはスマートフォン上に予め格納されたプログラム等で自動作成することにより、ユーザによる操作を更に容易にすることも可能である。
【００３９】
図７は、本発明の第一の実施の形態に係る入室管理サーバ１６の機能的な構成を示す図である。入室管理サーバ１６は、管理エリアへの許可されたユーザのみの入室を可能とするよう、入室管理システムにおいて、施錠管理ユニット１９及びカードリーダ２０−１〜２０−Ｍを制御して、ユーザの認証、及びその結果に応じた電子錠１８−１〜１８−Ｍの開閉を行う一台又は複数のサーバであり、遠隔操作サーバ１４からの指示信号を受信して、その内容に応じた処理を実行することができる。入室管理サーバ１６は、情報の送受信を行う送受信部７１０と、入室管理サーバ１６における通信及び処理を制御する制御部７２０と、ユーザＤＢ７３０と、を備える。
【００４０】
送受信部７１０は、一枚又は複数枚のネットワーク・カード等を備え、ネットワーク１５及び１７を介して遠隔操作サーバ１４及び施錠管理ユニット１９との通信を行う。
ユーザＤＢ７３０は、一台又はそれ以上のサーバから構成される入室管理サーバ１６の記憶装置２１５に蓄積され、管理エリアへの入室を管理されるユーザの情報を含むデータベースである。
【００４１】
図８は、ユーザＤＢ７３０に含まれるデータの一例を示す。ユーザＤＢ７３０は、ユーザＩＤ８１０と、各ユーザのカード有効性８１１と、の情報を含む。ユーザＩＤ８１０は、管理エリアへの入室を管理されるユーザを識別するための一意のＩＤであり、カード有効性８１１は、対応するユーザＩＤを有するユーザが所持するカードが現在有効であるか否かを示す情報である。
【００４２】
図９は、本発明の第一の実施の形態に係る遠隔操作システム１０の動作を示すフロー図である。最初に、携帯電話機１１−１〜１１−Ｎを所持するユーザは、入室管理サーバ１６を遠隔から操作することを希望する際に、携帯電話機１１−１〜１１−Ｎから、移動体通信網１３を介して、遠隔操作サーバ１４と関連付けられた所定の電話番号を宛先とするテキストメッセージを送信する（ステップＳ９１０）。このメッセージは、本文としてユーザが携帯電話機１１−１〜１１−Ｎを利用して作成した所定のコマンドＩＤを含み、送信元アドレスとして、当該テキストメッセージを送信した携帯電話機１１−１〜１１−Ｎの電話番号を含み、宛先アドレスとして、上記の遠隔操作サーバ１４と関連付けられた所定の電話番号、例えば、遠隔操作サーバ１４のネットワーク・カードに付された電話番号、又は、図４の実施の形態において遠隔操作サーバ１４に接続された携帯電話機４１−１〜４１−Ｌの電話番号等を含む。なお、このステップＳ９１０の前に、ユーザの携帯電話機１１−１〜１１−Ｎが備えるパスコードロック機能を利用して、携帯電話機の操作者に対し、予め設定されたパスコードの入力を要求し、操作者が正しいパスワードを入力した場合にのみ、携帯電話機を操作してテキストメッセージを送信できるようにしてもよい。これにより、携帯電話機１１−１〜１１−Ｎを保有するユーザ以外の第三者が遠隔操作サーバ１４に不正にアクセスすることを防止でき、セキュリティが更に高められる。
【００４３】
引き続き図９を参照し、ステップＳ９１０において携帯電話機１１−１〜１１−Ｎから送信されたテキストメッセージは、基地局１２及び移動体通信網１３を介して、遠隔操作サーバ１４の通信装置２４０に受信され、遠隔操作サーバ１４のＣＰＵ２００に伝達される（ステップＳ９２０）。すると、遠隔操作サーバ１４のＣＰＵ２００は、記憶装置２１０に格納されたユーザＤＢ３３０において、受信したテキストメッセージの送信元アドレスに含まれる電話番号を検索し、当該電話番号５１１に対応するユーザＩＤ５１０を確認する（ステップＳ９３０）。
【００４４】
遠隔操作サーバ１４のＣＰＵ２００は、受信したテキストメッセージの送信元アドレスである電話番号が、入室管理サーバ１６の操作を許可されたユーザのユーザＩＤ５１０と対応する電話番号５１１としてユーザＤＢ３３０に登録されている場合、当該電話番号からテキストメッセージを送信したユーザは入室管理サーバ１６を遠隔操作可能であると判断する。遠隔操作サーバ１４は、続いて、受信したテキストメッセージの本文の記載内容を読み取り、コマンドＤＢ３４０において、当該記載内容と一致するコマンドＩＤ６１０を検索する（ステップＳ９４０）。受信したテキストメッセージの本文が、予めコマンドＤＢ３４０に登録されているコマンドＩＤ６１０のいずれかと一致する場合、遠隔操作サーバ１４は、コマンドＤＢ３４０に登録されている、当該コマンドＩＤ６１０と対応するアクション６１１を実行する（ステップＳ９５０）。
【００４５】
例えば、ステップＳ９１０において携帯電話機１１−１〜１１−Ｎから送信されたテキストメッセージの本文に含まれるコマンドＩＤが、ユーザのカードを無効にする「００１」である場合、遠隔操作サーバ１４のＣＰＵ２００は、ステップＳ９４０において、該コマンドＩＤ「００１」がコマンドＤＢ３４０に含まれることを確認し、ステップＳ９５０において、コマンドＤＢ３４０に予め登録された通り、入室管理サーバ１６に対し、該ユーザを無効化する指令を送信する。この指令には、例えば「ＬＯＣＫ  ユーザＩＤ」というように、ステップＳ９３０において特定された該ユーザのユーザＩＤが含まれる。
【００４６】
また、同様に、例えば、ステップＳ９１０において携帯電話機１１−１〜１１−Ｎから送信されたテキストメッセージの本文に、ユーザのカードを所定期間に渡り有効にするコマンドＩＤ「００２」が含まれる場合、遠隔操作サーバ１４のＣＰＵ２００は、ステップＳ９５０において、入室管理サーバ１６に対し、該ユーザを有効にする指令を送信し、その後、所定の時間が経過した後に、今度は、入室管理サーバ１６に対し該ユーザを無効にする指令を送信する。この指令には、上記と同様に、例えば「ＯＰＥＮ  ユーザＩＤ」、「ＬＯＣＫ  ユーザＩＤ」というように、ステップＳ９３０において特定された該ユーザのユーザＩＤが含まれる。ユーザのカードを有効化する所定の期間は、予め遠隔操作サーバ１４に登録しておいてもよく、又は、コマンドＩＤと合わせて、携帯電話機１１−１〜１１−Ｎから送信されるテキストメッセージの中で指定されてもよい。
【００４７】
遠隔操作サーバ１４からの指令は、入室管理サーバ１６の通信装置２４５に受信され、入室管理サーバ１６のＣＰＵ２０５に伝達される（ステップＳ９６０）。次いで、入室管理サーバ１６のＣＰＵ２０５は、記憶装置２１５に格納されたユーザＤＢ７３０において、受信した指令に含まれるユーザＩＤ８１０に対応する、カード有効性８１１の情報を更新する（ステップＳ９７０）。即ち、ユーザＤＢ７３０において、受信した指令に含まれるユーザＩＤ８１０を検索し、該ユーザＩＤ８１０に対応するカード有効性８１１を、指令に応じて、有効又は無効を表す値に更新する。次いで、入室管理サーバ１６のＣＰＵ２０５は、即時に、又は、所定のタイミングで、更新されたユーザＤＢ７３０の内容を、施錠管理ユニット１９に配信して（ステップＳ９８０）、処理は終了する（ステップＳ９９０）。
【００４８】
ここで、遠隔操作システム１０が複数の電子錠１８−１〜１８−Ｍを含む場合、各ユーザのカードが解錠できる電子錠を指定することも可能である。これは、例えば、各ユーザのカードが解錠可能な電子錠１８−１〜１８−Ｍの情報を、ユーザＤＢ７３０又は他のデータベースの形で入室管理サーバ１６の記憶装置２１５に格納しておき、当該情報を施錠管理ユニット１９に配信することにより実現可能である。この場合、上記のステップＳ９５０において遠隔操作サーバ１４から入室管理サーバ１６に対し、ユーザのカードを有効にする指令が出されると、該ユーザのカードで解錠可能であるとして予め登録された全ての電子錠１８−１〜１８−Ｍが、解錠可能になる。または、ユーザが送信するメッセージの中で、各ユーザのカードを有効にする命令と合わせて、該カードで解錠可能な電子錠１８−１〜１８−Ｍを指定することも可能である。その場合、ユーザのメッセージから電子錠１８−１〜１８−Ｍの指定を読み出した遠隔操作サーバ１４が、上記のステップＳ９５０において入室管理サーバ１６に送信する指令の中で、例えば「ＯＰＥＮ  ユーザＩＤ  電子錠ＩＤ」というように、ユーザのカードをどの電子錠１８−１〜１８−Ｍに対して有効にするか指定するようにしてもよい。
【００４９】
なお、ステップＳ９３０において、遠隔操作サーバ１４のＣＰＵ２００がユーザＤＢ３３０を検索した際に、受信したテキストメッセージの送信元アドレスに含まれる電話番号を見つけることができなかった場合、遠隔操作サーバ１４のＣＰＵ２００は、当該電話番号からテキストメッセージを送信したユーザは、入室管理サーバ１６を遠隔操作することができないと判断し、処理を終了する（ステップＳ９９０）。また、遠隔操作サーバ１４のＣＰＵ２００が、ステップＳ９４０においてコマンドＤＢ３４０を検索した際に、受信したテキストメッセージの本文に含まれる内容を見つけることができなかった場合、遠隔操作サーバ１４のＣＰＵ２００は、あらかじめ登録されている所定のアクションを実行し（ステップＳ９９５）、処理は終了する（ステップＳ９９０）。この所定のアクションとしては、例えば、該ユーザを有効にする処理や、ユーザの携帯電話機にエラーメッセージを送信する処理等を行わせることができる。
【００５０】
本発明の第一の実施の形態において、遠隔操作システム１０を利用するユーザが、管理エリアに入室する際には、所持するカードを管理エリアの入り口扉付近に設けられたカードリーダ２０−１〜２０−Ｍにかざす等して、カードに含まれる認証情報を読み込ませる。カードリーダ２０−１〜２０−Ｍは、読み取った認証情報であって、少なくともユーザＩＤを含む情報を施錠管理ユニット１９に転送する。施錠管理ユニット１９では、入室管理サーバ１６から配信されたユーザＤＢ７３０の情報に基づいて、当該ユーザＩＤを有するユーザのカードが有効であるか否かが調べられ、有効である場合に、電子錠１８−１〜１８−Ｍが解錠される。カードが無効である場合には、カードリーダ２０−１〜２０−Ｍに認証エラーを示す信号が送信され、電子錠１８−１〜１８−Ｍは解錠されない。
【００５１】
このような実施の形態の遠隔操作システムでは、ユーザの認証に、携帯電話機の電話番号という人為的に改ざんすることのできない情報を用いるため、パスワード等を利用する場合と異なり、セキュリティの高い認証を提供することができる。更に、ユーザが携帯電話機を利用して送信するテキストメッセージは、移動体通信網という閉鎖されたネットワークを介して遠隔操作サーバに伝達されるため、インターネット等のオープンなネットワークを介した通信と比べ、盗聴や改ざん等がなされる可能性が低く、安全性が高い。そのため、インターネット等のオープンなネットワークを利用する場合のように、多大なコストや労力をかけてユーザ認証や通信の暗号化等の設備を用意する必要がなくなり、迅速且つ簡単な手順で、外部からセキュリティを要するシステムを遠隔操作することが可能である。
【００５２】
これにより、入室管理システムにおいては、カードの紛失・盗難等の場合に、システム管理者はもちろん、カードを保有するユーザ自身が、自らの携帯電話機からテキストメッセージを送信することにより、迅速にカードを無効化することが可能である。また、逆に、ユーザが自らの携帯電話機からテキストメッセージを送信することにより、特定のカードの使用を所定時間に渡り有効にすることも可能である。この場合、所定時間の経過後はカードが無効になり、カードの盗難・紛失等の場合に、カードを取得した第三者が管理エリアに入室することを防ぐことができる。カードを有効にする期間は、５分、１時間、４時間、８時間等と自由に設定可能であり、銀行等の高いセキュリティを必要とする場所では短めの時間に設定することができ、頻繁に入退室したり、利便性を要したりする場所では長めの時間に設定することができる。例えば、カードを有効にする期間を８時間に設定すると、ユーザが朝にカードを有効にする操作を行ってから、夕方の退勤時までカードが有効な状態に保たれ、夜間にはカードが無効な状態になって、紛失等の場合の第三者の侵入を防ぐことができる。
第二の実施の形態
本発明の第二の実施の形態として、管理エリアへの入室を許可されたユーザに予めＩＣカード等を配布せず、ユーザが携帯電話機から遠隔操作サーバにテキストメッセージを送信した際に、遠隔操作サーバから当該携帯電話機に二次元バーコードを送り返し、携帯電話機の画面に表示したこの二次元バーコードを管理エリアの入り口に設置されたバーコード読取装置に読み取らせることにより、ユーザの認証を行うこともできる。
【００５３】
図１０は、本発明のこの実施の形態に係る遠隔操作システムの構成を概略的に示す。図１０は、図１に示された遠隔操作システムにおいて、管理エリアの扉付近に設置されるカードリーダ２０−１〜２０−Ｍの代わりに、バーコード読取装置２１−１〜２１−Ｍを含む。バーコード読取装置２１−１〜２１−Ｍは、それぞれ、施錠管理ユニット１９に接続されている。
【００５４】
第二の実施の形態に係る遠隔操作サーバ１４及び入室管理サーバ１６は、図２に示されたのと同様のコンピュータによって構成される。
図１１は、本発明の第二の実施の形態における遠隔操作サーバ１４の機能的な構成を示す。本発明の第二の実施の形態に係る遠隔操作サーバ１４は、図３に示される第一の実施の形態に係る遠隔操作サーバ１４に加えて、更に、バーコード生成部１１１０を含む。バーコード生成部１１１０は、管理エリアへの入室を許可されたユーザに発行されるユーザＩＤとパスワードを少なくとも含み、携帯電話機１１−１〜１１−Ｎの表示部に表示可能な二次元バーコードを生成することができる。
【００５５】
また、本発明の第二の実施の形態において、遠隔操作サーバ１４の記憶装置２１０に含まれるコマンドＤＢ３４０には、ユーザからのパスワード発行要求を示すコマンドＩＤと、それに対応するアクションと、が登録されている。例えば、コマンドＤＢ３４０に、ユーザのパスワードを発行させるコマンドＩＤ「００３」と、それに対応する「入室管理サーバ１６に、該コマンドを送信したユーザのパスワード発行を要求する指令を送信する」というアクションと、を予め登録しておくことができる。
【００５６】
図１２は、本発明の第二の実施の形態に係る入室管理サーバ１６の機能的な構成を示す。本発明の第二の実施の形態に係る入室管理サーバ１６は、図７に示される第一の実施の形態に係る入室管理サーバ１６において、ユーザＤＢ７３０の代わりに、パスワードＤＢ１２１０を含む。パスワードＤＢ１２１０は、入室管理サーバ１６の記憶装置２１５に格納され、各ユーザに発行されるパスワードと、該パスワードの有効期間情報と、を有するデータベースである。
【００５７】
図１３は、本実施の形態に係るパスワードＤＢ１２１０に含まれるデータの例を示す。パスワードＤＢ１２１０は、ユーザＩＤ１３１０と、パスワード１３１１と、パスワード有効期限１３１２と、を含む。ユーザＩＤ１３１０は、管理エリアへの入室を管理されるユーザを識別するための一意のＩＤである。パスワード１３１１は、パスワード要求を送信してきたユーザに対し、入室管理サーバ１６が発行するパスワードであり、パスワード有効期限１３１２は、対応するパスワードの有効期限を示す。この有効期限は、入室管理サーバ１６に予め設定しておいてもよく、または、コマンドＩＤと合わせて、携帯電話機１１−１〜１１−Ｎから送信されるテキストメッセージの本文で指定されてもよい。
【００５８】
図１４は、本発明の第二の実施の形態に係る遠隔操作システム１０の動作を示すフロー図である。携帯電話機１１−１〜１１−Ｎを所持するユーザは、入室管理サーバ１４を遠隔から操作してパスワードの発行を要求する際に、携帯電話機１１−１〜１１−Ｎから、移動体通信網１３を介して、遠隔操作サーバ１４と関連付けられた所定の電話番号を宛先アドレスとするテキストメッセージを送信する（ステップＳ１４１０）。このテキストメッセージは、本文として、ユーザが携帯電話機１１−１〜１１−Ｎを利用して作成した入室管理サーバ１６へのパスワード発行要求を示すコマンドＩＤを含み、また、送信元アドレスとして、当該テキストメッセージを送信した携帯電話機１１−１〜１１−Ｎの電話番号を含み、宛先アドレスとして、上記の遠隔操作サーバ１４と関連付けられた所定の電話番号、例えば、遠隔操作サーバ１４のネットワーク・カードに付された電話番号、又は、図４の実施の形態において遠隔操作サーバ１４に接続された携帯電話機４１−１〜４１−Ｌの電話番号等を含む。該テキストメッセージは、基地局１２及び移動体通信網１３を介して、遠隔操作サーバ１４の通信装置２４０に受信され、遠隔操作サーバ１４のＣＰＵ２００に伝達される（ステップＳ１４２０）。すると、遠隔操作サーバ１４のＣＰＵ２００は、記憶装置２１０に格納されたユーザＤＢ３３０において、受信したテキストメッセージの送信元アドレスに含まれる電話番号を検索し、当該電話番号５１１に対応するユーザＩＤ５１０を確認する（ステップＳ１４３０）。
【００５９】
遠隔操作サーバ１４のＣＰＵ２００は、受信したテキストメッセージの送信元アドレスに含まれる電話番号が、入室管理サーバ１６の操作を許可されたユーザのユーザＩＤ５１０と対応する電話番号５１１としてユーザＤＢ３３０に登録されている場合、当該電話番号からテキストメッセージを送信したユーザは入室管理サーバ１６を遠隔操作入可能であると判断する。遠隔操作サーバ１４は、続いて、受信したテキストメッセージの本文の記載内容を読み取り、コマンドＤＢ３４０において、当該記載内容と一致するコマンドＩＤ６１０を検索する（ステップＳ１４４０）。
【００６０】
ここで、ステップＳ１４１０において携帯電話機１１−１〜１１−Ｎから送信されたテキストメッセージの本文に、パスワード発行を要求するコマンドＩＤである、例えば「００３」が含まれる場合（ステップ１４４５）、遠隔操作サーバ１４のＣＰＵ２００は、コマンドＤＢ３４０に予め登録された通り、入室管理サーバ１６に対し、該メッセージを送信したユーザのパスワード発行を要求する指令を送信する（ステップＳ１４５０）。この指令には、例えば「ＣＲＥＡＴＥＰＡＳＳ  ユーザＩＤ」というように、ステップＳ１４３０において特定された該ユーザのユーザＩＤが含まれる。
【００６１】
遠隔操作サーバ１４からの指令は、入室管理サーバ１６の通信装置２４５に受信され、入室管理サーバ１６のＣＰＵ２０５に伝達される（ステップＳ１４５５）。次いで、入室管理サーバ１６のＣＰＵ２０５は、受信した指令に応じて、該ユーザのパスワードを発行し、該パスワードと、そのパスワード有効期限とを、パスワードＤＢ１２１０に登録する。即ち、パスワードＤＢ１２１０において、受信した指令に含まれるユーザＩＤ１３１０を検索し、該ユーザＩＤ１３１０に対応するパスワード１３１１及びパスワード有効期限１３１２に、発行したパスワード及びその有効期限の情報を登録する。その後、入室管理サーバ１６のＣＰＵ２０５は、即時に、又は、所定のタイミングで、更新されたパスワードＤＢ１２１０の内容を、施錠管理ユニット１９に配信し（ステップＳ１４６５）、また、発行したパスワード及び対応するユーザＩＤを、遠隔操作サーバ１４に送信する（ステップＳ１４７０）。なお、図１４のフロー図においては、入室管理サーバ１６がパスワードＤＢ１２１０を更新した後に、まず、該パスワードＤＢ１２１０の更新を施錠管理ユニット１９に配信し、その後、パスワードを遠隔操作サーバ１４に送信するよう描かれているが、この２つの処理の順序は、逆になってもよい。
【００６２】
遠隔操作サーバ１４のＣＰＵ２００は、入室管理サーバ１６が発行したパスワードを受信すると、バーコード生成部１１１０を制御して、受信したユーザＩＤとパスワードとを少なくとも含み、携帯電話機１１−１〜１１−Ｎの表示部に表示可能な二次元バーコードを生成する（ステップＳ１４７５）。生成されたバーコードは、次いで、遠隔操作サーバ１４から携帯電話機１１−１〜１１−Ｎに向けて送信され（ステップＳ１４８０）、処理が終了する（ステップＳ１４９０）。
【００６３】
なお、ステップＳ１４３０において、遠隔操作サーバ１４のＣＰＵ２００がユーザＤＢ３３０を検索した際に、受信したテキストメッセージの送信元アドレスに含まれる電話番号を見つけることができなかった場合、遠隔操作サーバ１４のＣＰＵ２００は、当該電話番号からテキストメッセージを送信したユーザは、入室管理サーバ１６を遠隔操作することができないと判断し、処理を終了する（ステップＳ１４９０）。
【００６４】
また、遠隔操作サーバ１４のＣＰＵ２００が、ステップＳ１４４０においてコマンドＤＢ３４０を検索した際に、受信したテキストメッセージの本文の内容と一致するコマンドＩＤを見つけることができなかった場合、遠隔操作サーバ１４のＣＰＵ２００は、当該テキストメッセージは予め登録されたコマンドＩＤを含んでいないと判断し、あらかじめ登録されている所定のアクションを実行し（ステップＳ１４０５）、処理は終了する（ステップＳ１４９０）。この所定のアクションとしては、例えば、ユーザの携帯電話機にエラーメッセージを送信する処理等を行わせることができる。
【００６５】
また、遠隔操作サーバ１４のＣＰＵ２００が、ステップＳ１４４０においてコマンドＤＢ３４０を検索した際に、受信したテキストメッセージの本文の内容と一致するコマンドＩＤを見つけることができたものの、ステップＳ１４４５において、該コマンドＩＤがパスワード要求を示すコマンドＩＤではないと判断した場合、遠隔操作サーバ１４は、コマンドＤＢ３４０において、該コマンドＩＤ６１０と対応して記録されたアクション６１１に従って、入室管理サーバ１６に所定の指令を送信する（ステップＳ１４０１）。その後の処理であるステップＳ１４０２〜１４０４は、図９に示されたステップＳ９６０〜Ｓ９８０と同様である。パスワード発行要求以外の、例えば、ユーザのパスワードを無効化する要求等を、このフローに従って処理することが可能である。
【００６６】
本発明の第二の実施の形態において、遠隔操作システム１０を利用するユーザが、管理エリアに入室する際には、携帯電話機１１−１〜１１−Ｎの表示部に、ステップＳ１４８０において遠隔操作サーバ１４から受信した二次元バーコードを表示し、管理エリアの入り口扉付近に設けられたバーコード読取装置２１−１〜２１−Ｍにかざす等して読み取らせる。バーコード読取装置２１−１〜２１−Ｍは、読み取った二次元バーコード画像を施錠管理ユニット１９に転送する。施錠管理ユニット１９では、該バーコード画像に含まれるユーザＩＤとパスワードとが解読され、入室管理サーバ１６から受信したパスワードＤＢ１２１０の情報に基づいて、ユーザＩＤとパスワードの組み合わせが正しいか否か、パスワードが有効期限内であるか否かが調べられ、パスワードが正確、且つ有効期限内である場合に、電子錠１８−１〜１８−Ｍが解錠される。パスワードが間違っているか、又は有効期限外である場合には、認証エラーを示す信号が送信され、電子錠１８−１〜１８−Ｍは解錠されない。
【００６７】
本発明の第二の実施の形態においては、第一の実施の形態について述べた発明の効果に加えて、更に、ＩＣカード等の発行作業が不要になり、ユーザが常に携帯している携帯電話機のみによって、管理エリアへの入室の際の認証を行うことが可能となり、管理作業の効率及びユーザの利便性が向上する。また、パスワードを含むバーコードの有効期限を、５分、１時間、４時間、８時間等と自由に設定することが可能であり、所定期間の経過後にバーコードを無効にすることにより、携帯電話機の盗難・紛失等の場合に、携帯電話機を取得した第三者が管理エリアに入室することを防ぐことができる。
【００６８】
また、本発明の第一及び第二の実施の形態に係る遠隔操作システムは、入室管理サーバを遠隔操作する以外に、様々な機能を実現することが可能である。例えば、遠隔操作サーバの記憶装置に、ユーザの携帯電話機の電話番号と対応づけられた様々な情報を登録したデータベースを設けておき、ユーザの携帯電話機から移動体通信網を介したテキストメッセージにより情報要求を送信した際に、当該携帯電話機に対して、移動体通信網を介し当該携帯電話機の電話番号を宛先アドレスとするテキストメッセージにより、当該携帯電話機の電話番号と対応づけて登録されている情報を送信することができる。このようなシステムによれば、ユーザは、携帯電話機を利用して、遠隔地から安全に必要な情報を取得することができる。
【００６９】
更に、ユーザからのテキストメッセージに含まれる要求に応じて、テキストメッセージを送信したユーザの携帯電話機だけではなく、予め登録された複数の携帯電話機に対し、移動体電話網を介し、それら複数の携帯電話機の電話番号を宛先アドレスとするテキストメッセージにより、締め日の連絡、災害時の連絡等の事前に定められた情報を、一斉に配信することも可能である。この方法によれば、簡易な操作により、移動体通信網を介し電話番号宛てに送受信されるテキストメッセージを利用して、安全かつ迅速に情報を配信することが可能である。一般に、ショートメッセージ等の、移動体通信網を介し、送受信アドレスに携帯電話番号を利用するテキストメッセージは、同一の通信方式の携帯電話機間でのみ送受信可能だが、本発明の実施の形態に係る遠隔操作システムを利用すれば、異なる通信方式を利用する複数の携帯電話機に対して、一斉に情報を配信することができる。
【００７０】
更に、本発明の実施の形態に係る遠隔操作システムを利用して、ユーザが携帯電話機から送信した、移動体通信網を介したテキストメッセージに含まれる要求に応じて、ビデオデッキ等の家電機器や、ドアの施錠システム等の家庭内の機器等を遠隔制御することも可能である。
【符号の説明】
【００７１】
１１  携帯電話機
１２  基地局
１３  移動体通信網
１４  遠隔操作サーバ
１５  ネットワーク
１６  入室管理サーバ
１７  ネットワーク
１８  施錠管理ユニット
１９  電子錠
２０  カードリーダ
２１  バーコード読取装置
【図１】
2012209664.tif 000003
【図２】
2012209664.tif 000004
【図３】
2012209664.tif 000005
【図４】
2012209664.tif 000006
【図５】
2012209664.tif 000007
【図６】
2012209664.tif 000008
【図７】
2012209664.tif 000009
【図８】
2012209664.tif 000010
【図９】
2012209664.tif 000011
【図１０】
2012209664.tif 000012
【図１１】
2012209664.tif 000013
【図１２】
2012209664.tif 000014
【図１３】
2012209664.tif 000015
【図１４】
2012209664.tif 000016